(57)【要約】【課題】遊技者による誤操作を防止し、電気的制御を行うことなく、発射装置による遊技球の発射強度を所定の強度に固定することができる操作ハンドル機構を提供すること。【解決手段】遊技球の発射強度を調節するための操作ハンドル機構１は、これを逆回転方向Ｄ２へ付勢する回動付勢手段２３と、連動部材２６と、係合部３２及び係合操作部３３を備えた阻止部材３とを有している。阻止部材３は、係合部３２と連動部材２６との係合状態が解除され、操作ハンドル２を正逆両回転方向Ｄ１、Ｄ２に回動可能にする回動許可位置３０１と、回動付勢手段２３による回動付勢力を受けて係合部３２と連動部材２６とが係合し、操作ハンドル２が逆回転方向Ｄ２へ回動することを阻止する回動阻止位置３０２とに変更可能である。連動部材２６と阻止部材３とは、操作ハンドル２の内部又はパチンコ遊技機６の内部に収納されている。【選択図】図５
2005261519.tif 000002
【特許請求の範囲】
【請求項１】
遊技機の前面側に配設した操作ハンドルの回動操作量に応じて、発射装置による遊技球の発射強度を調節するよう構成された操作ハンドル機構において、
該操作ハンドル機構は、上記操作ハンドルを上記遊技球の発射強度が減少する逆回転方向へ付勢する回動付勢手段と、上記操作ハンドルの回動操作に対して連動する連動部材と、該連動部材と係合するための係合部及び該係合部を移動させるための係合操作部を備えた阻止部材とを有しており、
該阻止部材は、上記係合部と上記連動部材との係合状態が解除され、上記操作ハンドルを正逆両回転方向に回動可能にする回動許可位置と、上記係合部と上記連動部材とが係合し、上記操作ハンドルが上記逆回転方向へ回動することを阻止する回動阻止位置とに変更可能であり、
上記係合操作部は、上記操作ハンドルの内部又は上記遊技機の内部に収納されていることを特徴とする操作ハンドル機構。
【請求項２】
請求項１において、上記阻止部材の上記係合操作部は、上記遊技機において開閉可能に配設した開閉部材の裏面側に配置されていることを特徴とする操作ハンドル機構。
【請求項３】
請求項１又は２において、上記連動部材は、上記操作ハンドルの回動軸心とほぼ一致する回動軸心を有して該操作ハンドルに固定された円板部材であり、該円板部材の外周部には、複数の係合突起が形成されており、
上記阻止部材は、上記遊技機の前後方向に伸びるシャフト部材の一端部に上記係合部を配設してなると共に、他端部に上記係合操作部を配設してなり、
上記係合部は、上記複数の係合突起のいずれかと係合することができるよう上記シャフト部材の外周方向へ突出形成された係合爪からなることを特徴とする操作ハンドル機構。
【請求項４】
請求項３において、上記操作ハンドル機構は、上記阻止部材が上記回動阻止位置にある場合において、正回転方向への上記操作ハンドルの回動操作量が所定量を超えたときには、上記係合突起と上記係合爪との係合状態が解除されるよう構成されていることを特徴とする操作ハンドル機構。
【請求項５】
請求項１〜４のいずれか一項において、上記操作ハンドル機構は、上記阻止部材が上記回動阻止位置にあることを報知する報知手段を有していることを特徴とする操作ハンドル機構。
【請求項６】
請求項１〜５のいずれか一項において、上記操作ハンドル機構は、上記阻止部材が上記回動阻止位置にある場合において、上記発射装置に遊技球を供給するための打球供給皿における遊技球の貯留数が所定数以下であるときに、球不足状態を検出する貯留数検出手段と、
該貯留数検出手段が上記球不足状態を検出したときに、上記打球供給皿に遊技球を供給する遊技球供給手段とを有していることを特徴とする操作ハンドル機構。
【請求項７】
請求項１〜６のいずれか一項において、上記操作ハンドル機構は、上記操作ハンドルへの遊技者の接触状態を検出する接触検出手段と、
少なくとも該接触検出手段が上記接触を検出している時に、上記発射装置からの遊技球の発射を許可する発射許可制御手段とを有しており、
該発射許可制御手段は、上記阻止部材が上記回動阻止位置にある場合には、上記接触検出手段による上記接触状態の検出の有無に拘わらず、上記発射装置からの遊技球の発射を許可するよう構成されていることを特徴とする操作ハンドル機構。
【発明の詳細な説明】
【技術分野】
【０００１】
本発明は、パチンコ遊技機、アレンジボール遊技機、遊技球を遊技媒体として使用するスロットマシーン等の遊技機に関し、遊技機の前面側に配設した操作ハンドルの回動操作量に応じて、発射装置による遊技球の発射強度を調節するよう構成された操作ハンドル機構に関する。
【背景技術】
【０００２】
例えば、パチンコ遊技機においては、発射装置により、遊技球を遊技盤に形成した遊技領域に向けて発射させることによって、パチンコ遊技を行っている。そして、パチンコ遊技機の前面側には、発射装置における遊技球の発射強度（打球強度）を調節するための操作ハンドルが配設されており、この操作ハンドルの回動操作量を変化させることにより、上記遊技領域の所望箇所に遊技球を発射させてパチンコ遊技を行う。
ところで、ホールの新装開店を行うときや、新台入替を行うときには、遊技球の発射強度を所定の強度に固定して、遊技球の試打ちを行うことがある。
【０００３】
そして、特許文献１においては、遊技球の試打ちを行う際には、操作ハンドル（発射操作部）の回動操作量に拘わらず、制御手段によって、発射装置（玉発射駆動手段）による遊技球の発射及び停止を行う弾球遊技機が開示されている。
しかしながら、特許文献１の弾球遊技機においては、電気的制御を変更することにより、遊技球の試打ちを行う状態を形成しており、この遊技機における電気的制御が複雑になってしまう。
【０００４】
【特許文献１】特開２０００−２８８１６８号公報
【発明の開示】
【発明が解決しようとする課題】
【０００５】
本発明は、かかる従来の問題点に鑑みてなされたもので、遊技者による誤操作を防止し、電気的制御を行うことなく、発射装置による遊技球の発射強度を所定の強度に固定することができる操作ハンドル機構を提供しようとするものである。
【課題を解決するための手段】
【０００６】
第１の発明は、遊技機の前面側に配設した操作ハンドルの回動操作量に応じて、発射装置による遊技球の発射強度を調節するよう構成された操作ハンドル機構において、
該操作ハンドル機構は、上記操作ハンドルを上記遊技球の発射強度が減少する逆回転方向へ付勢する回動付勢手段と、上記操作ハンドルの回動操作に対して連動する連動部材と、該連動部材と係合するための係合部及び該係合部を移動させるための係合操作部を備えた阻止部材とを有しており、
該阻止部材は、上記係合部と上記連動部材との係合状態が解除され、上記操作ハンドルを正逆両回転方向に回動可能にする回動許可位置と、上記係合部と上記連動部材とが係合し、上記操作ハンドルが上記逆回転方向へ回動することを阻止する回動阻止位置とに変更可能であり、
上記係合操作部は、上記操作ハンドルの内部又は上記遊技機の内部に収納されていることを特徴とする操作ハンドル機構にある（請求項１）。
【０００７】
本発明の操作ハンドル機構は、上記操作ハンドルに、上記回動付勢手段、上記連動部材及び上記阻止部材の各部材を配設してなるものである。
そして、遊技者が遊技を行う際には、上記阻止部材を上記回動許可位置にしておき、遊技者は、操作ハンドルを正逆両回転方向に回動させることにより、この操作ハンドルの回動操作量に応じて発射装置による遊技球の発射強度を調節することができる。また、操作ハンドルは、回動付勢手段によって逆回転方向に付勢されており、遊技者が操作ハンドルを放したときには、回動付勢手段の付勢力によって、操作ハンドルは、遊技球の発射強度をゼロにする初期位置へと復帰することができる。
【０００８】
ところで、遊技機において試打ちを行う場合等には、遊技機の管理者は、操作ハンドルの回動操作量を所定量にして、遊技球の発射強度を所定の強度に固定したいときがある。このとき、管理者は、阻止部材の係合操作部を操作して阻止部材の係合部と連動部材とを係合させ、阻止部材を上記回動阻止位置に変更する。これにより、操作ハンドルは、正回転方向に回動させて遊技球の発射強度を増加させるように調節することができる。一方、遊技球の発射強度を増加させたときには、回動付勢手段により操作ハンドルを逆回転方向に回動させようとする付勢力が作用する。そのため、連動部材と係合部との係合状態が維持され、操作ハンドルは、逆回転方向には回動させることができなくなる。これにより、操作ハンドルの回動操作量が所定量に固定される。
【０００９】
こうして、管理者は、簡単に操作ハンドルの回動操作量を所定量に固定し、遊技球の発射強度を所定の強度に固定することができ、上記試打ちを容易に行うことができる。
さらに、本発明においては、上記阻止部材の係合操作部は、操作ハンドルの内部又は遊技機の内部に収納されており、遊技者が操作することはできず、管理者のみが操作することができる。そのため、遊技者の遊技中に阻止部材が誤って回動阻止位置に変更されてしまうことがない。
【００１０】
また、阻止部材は、制御装置等の電気的手段を介すことなく、管理者が直接係合操作部を操作することによって位置変更可能になっている。そのため、操作ハンドル機構の電気的制御を複雑にしてしまうことがない。
それ故、本発明の操作ハンドル機構によれば、遊技者による誤操作を防止し、電気的制御を行うことなく、発射装置による遊技球の発射強度を所定の強度に固定することができる。
【発明を実施するための最良の形態】
【００１１】
上述した本発明の操作ハンドル機構における好ましい実施の形態につき説明する。
本発明において、上記阻止部材の上記係合操作部は、上記遊技機において開閉可能に配設した開閉部材の裏面側に配置されていることが好ましい（請求項２）。
この場合には、阻止部材の係合操作部は、開閉部材を閉じたときには、遊技機の内部に収納しておくことができ、一方、開閉部材を開けたときには、遊技機の前面側から操作することができる。そのため、阻止部材の係合操作部は、遊技機における開閉部材を利用して、遊技機内部への収納及び操作可能な場所への移動を簡単に行うことができる。
【００１２】
上記開閉部材は、遊技機における外枠に対して開閉可能である本体枠（前枠）とすることができる。この本体枠は、遊技領域を形成する遊技盤を配設してなるものである。また、開閉部材は、上記本体枠に対して開閉可能である球皿ユニットとすることもできる。この球皿ユニットは、遊技球を上記発射装置に供給するための打球供給皿を配設してなるものである。
【００１３】
また、上記連動部材は、上記操作ハンドルの回動軸心とほぼ一致する回動軸心を有して該操作ハンドルに固定された円板部材であり、該円板部材の外周部には、複数の係合突起が形成されており、上記阻止部材は、上記遊技機の前後方向に伸びるシャフト部材の一端部に上記係合部を配設してなると共に、他端部に上記係合操作部を配設してなり、上記係合部は、上記複数の係合突起のいずれかと係合することができるよう上記シャフト部材の外周方向へ突出形成された係合爪からなることが好ましい（請求項３）。
この場合には、連動部材及び阻止部材の簡単な構造により、係合部による連動部材の係合及びその解除を行うことができる。また、シャフト部材の長さを適宜設定することにより、阻止部材の係合操作部を所望箇所に配置することができる。
【００１４】
また、上記操作ハンドル機構は、上記阻止部材が上記回動阻止位置にある場合において、正回転方向への上記操作ハンドルの回動操作量が所定量を超えたときには、上記係合突起と上記係合爪との係合状態が解除されるよう構成することが好ましい（請求項４）。
この場合には、操作ハンドルを、その回動操作量が所定量を超えるまで正回転方向に回動させるだけで、阻止部材を回動阻止位置から回動許可位置に容易に変更することができる。また、阻止部材の係合操作部を上記開閉部材の裏面側に配置したときには、開閉部材を再度開けることなく、阻止部材を回動阻止位置から回動許可位置に容易に変更することができる。そのため、上記阻止部材の位置変更をきわめて容易に行うことができる。
【００１５】
また、上記操作ハンドル機構は、上記阻止部材が上記回動阻止位置にあることを報知する報知手段を有していることが好ましい（請求項５）。
この場合には、遊技機の管理者は、報知手段により、阻止部材が回動阻止位置にあることを容易に認知することができる。
【００１６】
また、上記操作ハンドル機構は、上記阻止部材が上記回動阻止位置にある場合において、上記発射装置に遊技球を供給するための打球供給皿における遊技球の貯留数が所定数以下であるときに、球不足状態を検出する貯留数検出手段と、該貯留数検出手段が上記球不足状態を検出したときに、上記打球供給皿に遊技球を供給する遊技球供給手段とを有していることが好ましい（請求項６）。
この場合には、阻止部材を回動阻止位置に移動させ、遊技球の試打ちを行う状態において、打球供給皿における遊技球がなくなってしまう前に、貯留数検出手段が球不足状態を検出し、遊技球供給手段により、打球供給皿に遊技球を補充することができる。そのため、遊技球の試打ちを円滑に行うことができる。
【００１７】
また、上記操作ハンドル機構は、上記操作ハンドルへの遊技者の接触状態を検出する接触検出手段と、少なくとも該接触検出手段が上記接触を検出している時に、上記発射装置からの遊技球の発射を許可する発射許可制御手段とを有しており、該発射許可制御手段は、上記阻止部材が上記回動阻止位置にある場合には、上記接触検出手段による上記接触状態の検出の有無に拘わらず、上記発射装置からの遊技球の発射を許可するよう構成することが好ましい（請求項７）。
【００１８】
この場合には、遊技機の管理者は、阻止部材を回動許可位置から回動阻止位置に移動させるだけで、発射許可手段が発射装置からの遊技球の発射を許可して、発射装置から遊技球を発射させることができる。
また、管理者が操作ハンドルの回動操作量を調節して、遊技球の発射強度を決定したときには、管理者が操作ハンドルを放しても、発射強度を所定の強度に維持して遊技球の発射を継続することができる。
一方、遊技者が遊技を行う際には、阻止部材が回動許可位置にあり、接触検出手段が遊技者の接触状態を検出したときのみ発射許可手段が発射装置からの遊技球の発射を許可することができる。
【実施例】
【００１９】
以下に、本発明の操作ハンドル機構にかかる実施例につき、図面と共に説明する。
本例の操作ハンドル機構１は、図１、図２に示すごとく、パチンコ遊技機６の前面側に配設した操作ハンドル２の回動操作量に応じて、発射装置７１による遊技球の発射強度を調節するよう構成されている。
この操作ハンドル機構１は、図３〜図８に示すごとく、操作ハンドル２を遊技球の発射強度が減少する逆回転方向Ｄ２へ付勢する回動付勢手段２３と、操作ハンドル２の回動操作に対して連動する連動部材２６と、この連動部材２６と係合するための係合部３２及びこの係合部３２を移動させるための係合操作部３３を備えた阻止部材３とを有している。
【００２０】
また、阻止部材３は、図５に示すごとく、係合部３２と連動部材２６との係合状態が解除され、操作ハンドル２を正回転方向（時計回り）Ｄ１及び逆回転方向（反時計回り）Ｄ２のいずれにも回動可能にする回動許可位置３０１と、図６に示すごとく、回動付勢手段２３による回動付勢力を受けて係合部３２と連動部材２６とが係合し、操作ハンドル２が逆回転方向Ｄ２へ回動することを阻止する回動阻止位置３０２とに変更可能である。
そして、図８に示すごとく、連動部材２６と阻止部材３とは、操作ハンドル２の内部又はパチンコ遊技機６の内部に収納されており、阻止部材３の係合操作部３３は、パチンコ遊技を行う遊技者からは操作できないよう構成されている。
以下に、これを詳説する。
【００２１】
図１に示すごとく、本例のパチンコ遊技機６は、このパチンコ遊技機６における外枠６０と、この外枠６０の前面側に開閉可能に配設した開閉部材としての本体枠６１（前枠）と、この本体枠６１の前面側６０１に開閉可能に配設したガラス扉６２とを有している。本体枠６１は、遊技領域を形成する遊技盤６１１（図示略）を配設してなり、ガラス扉６２は、プラスチック製の枠部の内側にガラス板を配設してなる。
また、本体枠６１の前面側６０１には、賞球（入賞価値に応じて遊技球を払い出すこと）又は貸球（支払代価に応じて遊技球を払い出すこと）として遊技球を払い出す払出装置７２から払い出された遊技球を貯留する球皿ユニット６３が配設されている。
【００２２】
上記発射装置７１は、球皿ユニット６３の打球供給皿６３１から１球ずつ遊技球が供給され、本体枠６１に配設された遊技盤６１１における遊技領域に向けて遊技球を１球ずつ発射させるものである。また、球皿ユニット６３は、遊技球を上記発射装置７１に供給するための打球供給皿６３１を配設してなるものである。
また、球皿ユニット６３は、本体枠６１に対して回動可能に配設することもでき、この場合には、操作ハンドル２は、開閉部材としての球皿ユニット６３の前面側に配設することもできる。
【００２３】
図１、図２に示すごとく、本例の操作ハンドル２は、本体枠６１の前面側６０１に配設されており、本体枠６１に固定したベース部２１と、このベース部２１に対して回動可能に配設された回動操作部２２とを有している。また、図４に示すごとく、操作ハンドル２は、ベース部２１に対する回動操作部２２の回動操作量を検出する回動量検出センサ４１を有している。
図１０に示すごとく、操作ハンドル機構１は、制御装置５によって、各動作の制御が可能である。そして、制御装置５は、回動量検出センサ４１により検出した回動操作量信号を受信し、この回動操作量信号の大きさに基づいて発射装置７１に発射強度信号を送信する発射強度制御部５２を有している。
【００２４】
より具体的には、図３、図４に示すごとく、回動操作部２２には、この回動操作部２２の回動軸心とほぼ一致する回動軸心を有し、回動操作部２２の回動操作と共に回動する第１歯車２４が係合している。この第１歯車２４は、ベース部２１に対して回動可能に配設されていると共に一対の突起部２４１を有しており、この一対の突起部２４１を、回動操作部２２に形成された一対の長穴２２１にそれぞれ挿入して、回動操作部２２と係合されている。
また、ベース部２１には、上記第１歯車２４に噛合する第２歯車２５が回動可能に配設されており、本例の回動量検出センサ４１は、第２歯車２５の中心軸に連結された可変抵抗器４１である。
【００２５】
また、第１歯車２４及び第２歯車２５は、それらの外周部に、互いに噛合するための複数の噛合歯２４２、２５２をそれぞれ有してなる。そして、回動操作部２２が回動されると第１歯車２４及び第２歯車２５が回動し、可変抵抗器４１における抵抗値が変化することによって、制御装置５は、回動操作部２２の回動操作量を検出することができる。
【００２６】
図３、図８に示すごとく、本例の回動付勢手段２３は、ベース部２１に対する回動操作部２２の正回転方向Ｄ１への回動操作によって捩じられることで、回動操作部２２を逆回転方向Ｄ２へ付勢する捩りコイルバネ２３である。この捩りコイルバネ２３は、その一端をベース部２１に固定し、その他端を回動操作部２２に固定してなる。
【００２７】
図５、図８に示すごとく、本例の連動部材２６は、回動操作部２２の回動軸心とほぼ一致する回動軸心を有して、この回動操作部２２に固定された円板部材２６１である。この連動部材２６は、上記第１歯車２４に固定されており、回動操作部２２の回動操作と共に回動する。こうして、回動操作部２２、第１歯車２４及び連動部材２６は、それぞれ同一の軸心回りに回動する。
【００２８】
また、連動部材２６は、その外周部における円周方向の一領域部には、阻止部材３の係合部３２によって係合されるための複数の係合突起２６２を有しており、残りの領域部には、阻止部材３の係合部３２と接触しない凹状の切欠き部２６３を有している。連動部材２６においては、その回動中心から各係合突起２６２までの距離は略同一になっている。
なお、第１歯車２４及び連動部材２６の少なくとも一方は、操作ハンドル２の回動操作部２２と一体的に形成することもできる。
【００２９】
また、図５、図８、図９に示すごとく、本例の阻止部材３は、パチンコ遊技機６の前後方向に伸びるシャフト部材３１の一端部に上記係合部３２を配設してなると共に、他端部に上記係合操作部３３を配設してなる。そして、係合部３２は操作ハンドル２のベース部２１内に収納されており、係合操作部３３は、本体枠６１内に収納されている。また、シャフト部材３１は、ベース部２１内に設けられた軸受部２１１と本体枠６１内に設けられた軸受部６１２とによって回動可能に支持されており、係合操作部３３は、本体枠６１の裏面側６０２に配置されている。
【００３０】
また、係合部３２は、上記複数の係合突起２６２のいずれかと係合することができるようシャフト部材３１の外周方向へ突出形成された係合爪３２からなり、係合操作部３３は、シャフト部材３１の外周方向へ突出形成された突出つまみ３３からなる。
また、阻止部材３におけるシャフト部材３１は、回動操作部２２及び連動部材２６の斜め上方に配置されており、連動部材２６の係合突起２６２を阻止部材３の係合部３２が係合したときには、係合部３２の自重が係合突起２６２に作用することにより、係合突起２６２と係合部３２との係合状態が外れないようになっている。
また、係合操作部３３には、錘部材（図示略）を一体的に設けることにより、係合突起２６２と係合部３２との係合状態を効果的に維持することができる。
【００３１】
図７に示すごとく、本例の操作ハンドル機構１は、阻止部材３が上記回動阻止位置３０２にある場合において、正回転方向Ｄ１への回動操作部２２の回動操作量が所定量を超えたときには、係合突起２６２に対する係合部（係合爪）３２の係合状態が解除されるよう構成されている。
【００３２】
すなわち、図６に示すごとく、阻止部材３が上記回動阻止位置３０２にあり、回動操作部２２の回動操作量が所定量以下の場合には、連動部材２６の複数の係合突起２６２におけるいずれかが、阻止部材３の係合部３２と係合していることにより、回動操作部２２の逆回転方向Ｄ２への回動が阻止される。また、回動操作部２２を正回転方向Ｄ１に回動させるときには、係合部３２は、係合突起２６２によって上方に持ち上げられ、係合突起２６２の上を滑ることができる。これにより、阻止部材３が回動阻止位置３０２にある場合でも、回動操作部２２は、正回転方向Ｄ１には回動させることができる。
【００３３】
そして、図７に示すごとく、阻止部材３が回動阻止位置３０２にある場合において、正回転方向Ｄ１への回動操作部２２の回動操作量が所定量を超えたときには、係合部（係止爪）３２が上記切欠き部２６３に対向する。これにより、係合突起２６２と係合部（係合爪）３２との係合状態が解除されて、阻止部材３は、回動阻止位置３０２から回動許可位置３０１に復帰し、回動操作部２２は、回動付勢手段２３による回動付勢力によって、回動操作量がゼロになる初期位置へと復帰することができる。
【００３４】
図３、図８〜図１０に示すごとく、操作ハンドル機構１は、操作ハンドル２の回動操作部２２への遊技者の接触状態を検出する接触検出手段４２と、阻止部材３が回動阻止位置３０２にあるときに、回動阻止状態を検出する回動阻止検出手段４３とを有している。
接触検出手段４２は、遊技者の手が金属製の回動操作部２２に接触したときに、遊技者が有する静電容量を検出する静電容量センサにより構成されている。また、回動阻止検出手段４３は、阻止部材３の係合操作部３３の回動位置を検出する位置検出センサにより構成されている。この位置検出センサとしては、近接スイッチ、フォトセンサ、リミットスイッチ、マイクロスイッチ等種々のものを用いることができる。
【００３５】
なお、回動阻止検出手段４３は、連動部材２６の係合突起２６２と阻止部材３の係合部３２との接触が行われた際に、回動阻止状態を検出するセンサとすることもできる。例えば、このセンサとしては、両者の接触が行われたときに微小電流が流れることにより回動阻止状態を検出するもの、両者の接触が行われたときの静電容量の変化を検出するもの等を用いることができる。
【００３６】
また、静電容量を利用する回動阻止検出手段４３としては、例えば以下のように構成することができる。すなわち、操作ハンドル２の回動操作部２２、連動部材２６及び阻止部材３の係合部３２を導電性部材で構成する。そして、回動阻止検出手段４３は、係合部３２に所定の大きさの静電容量を持たせておき、連動部材２６と係合部３２とが係合したときに、遊技者が操作ハンドル２の回動操作部２２に接触したときと同等の静電容量を発生させるよう構成することができる。
この場合には、接触検出手段４２を構成する制御回路を兼用して上記回動阻止状態を検出することができ、発射許可制御部５１の制御回路に変更を加える必要がなく、回動阻止検出手段４３を容易に構成することができる。
【００３７】
図１０に示すごとく、上記制御装置５は、阻止部材３が回動許可位置３０１にある場合において、少なくとも接触検出手段４２が上記接触状態を検出している時に、上記発射装置７１からの遊技球の発射を許可する発射許可制御手段としての発射許可制御部５１を有している。この発射許可制御部５１は、阻止部材３が回動阻止位置３０２に位置変更され、回動阻止検出手段４３が回動阻止状態を検出したときには、接触検出手段４２による接触状態の検出の有無に拘わらず、発射装置７１からの遊技球の発射を許可するよう構成されている。
【００３８】
また、図１０に示すごとく、操作ハンドル機構１は、制御装置５からの信号を受けて、阻止部材３が回動阻止位置３０２にあることを報知する報知手段７３を有している。この報知手段７３は、回動阻止検出手段４３が回動阻止状態を検出したときに、点灯する表示ランプにより構成することができ、また、回動阻止検出手段４３が回動阻止状態を検出したときに、警報又はメロディ等を発するスピーカにより構成することもできる。また、報知手段７３は、本体枠６１の裏面側６０２において”許可”及び”阻止”の刻印等をしておき、各刻印等に対して位置変更を行う部材によって構成することもできる。
【００３９】
また、図１０に示すごとく、操作ハンドル機構１は、阻止部材３が回動阻止位置３０２にある場合において、上記打球供給皿６３１における遊技球の貯留数が所定数以下であるときに、球不足状態を検出する貯留数検出手段４４と、この貯留数検出手段４４が球不足状態を検出したときに、打球供給皿６３１に遊技球を供給する遊技球供給手段とを有している。
【００４０】
本例の貯留数検出手段４４は、打球供給皿６３１内に配設した近接スイッチ（近接センサ）（図示略）である。そして、貯留数検出手段４４は、近接スイッチが打球供給皿６３１内の所定位置に遊技球があることを感知しているときに、打球供給皿６３１内に遊技球が所定数よりも多く貯留されていることを検出し、近接スイッチが打球供給皿６３１内の所定位置に遊技球がなくなったことを感知したときに、球不足状態を検出するものである。
【００４１】
また、図１０に示すごとく、遊技球供給手段は、上記払出装置７２を制御装置５によって制御することにより構成されている。すなわち、遊技球供給手段は、制御装置５において、回動阻止検出手段４３が回動阻止状態を検出している場合に、貯留数検出手段４４が球不足状態を検出したときに、払出装置７２を作動させ、所定数量の遊技球を打球供給皿６３１に払い出す払出制御部５３として構成されている。
【００４２】
次に、上述した操作ハンドル機構１の動作及び作用効果につき説明する。
図５に示すごとく、遊技者がパチンコ遊技を行う際には、阻止部材３が回動許可位置３０１にあり、回動阻止検出手段４３は、阻止部材３の係合操作部３３が回動阻止状態にあることを検出していない。そして、遊技者が回動操作部２２に触れると、接触検出手段４２が接触状態を検出し、この接触検出手段４２による接触検出信号を受けて、制御装置５の発射許可制御部５１は、発射装置７１からの遊技球の発射を許可する。次いで、遊技者が回動操作部２２を回動させると、制御装置５の発射強度制御部５２は、回動操作部２２の回動操作量を回動量検出センサ４１によって検出し、この回動量検出センサ４１による回動操作量信号に基づいて発射装置７１の発射強度を決定する。
【００４３】
こうして、遊技者が操作ハンドル２の回動操作部２２を正回転方向Ｄ１に回動させ、回動操作部２２の回動操作量を増加させたときには、発射装置７１の発射強度が増加し、一方、遊技者が回動操作部２２を逆回転方向Ｄ２に回動させ、回動操作部２２の回動操作量を減少させたときには、発射装置７１の発射強度が減少する。
また、回動操作部２２は、回動付勢手段２３によって逆回転方向Ｄ２に付勢されており、遊技者が回動操作部２２を放したときには、回動付勢手段２３の回動付勢力によって、回動操作部２２は、遊技球の発射強度をゼロにする初期位置へと復帰することができる。
また、遊技者がパチンコ遊技を行う状態において、阻止部材３の係合操作部３３は、パチンコ遊技機６の前面側に露出しておらず、遊技者が操作することができなくなっている。
【００４４】
ところで、ホールの新装開店を行う場合や、新台入替を行う場合には、パチンコ遊技機６の管理者は、回動操作部２２の回動操作量を所定量にして、発射装置７１による遊技球の発射強度を固定し、遊技球の試打ちを行うときがある。
このとき、図６に示すごとく、管理者は、パチンコ遊技機６の外枠６０に対して本体枠６１を開けて阻止部材３の係合操作部３３を操作し、この阻止部材３を回動させて、回動許可位置３０１から回動阻止位置３０２に位置変更させる。そして、連動部材２６の係合突起２６２と、阻止部材３の係合部３２とが係合し、また、回動阻止検出手段４３が回動阻止状態を検出する。
【００４５】
この回動阻止検出手段４３が回動阻止状態を検出したときには、制御装置５の発射許可制御部５１は、接触検出手段４２による接触状態の検出の有無に拘わらず、発射装置７１からの遊技球の発射を許可する。次いで、管理者は、回動操作部２２を正回転方向Ｄ１に回動させて、遊技球の発射強度を決定することができる。すなわち、阻止部材３が回動阻止位置３０２にある状態においては、回動操作部２２は、正回転方向Ｄ１へは、係合突起２６２が係合部３２に引っ掛けられることなく回動可能である。そのため、操作ハンドル２は、正回転方向Ｄ１に回動させて遊技球の発射強度を増加させるように調節することができる。
【００４６】
一方、遊技球の発射強度を増加させたときには、回動付勢手段２３により操作ハンドル２を逆回転方向Ｄ２に回動させようとする回動付勢力が作用する。また、阻止部材３は、その係合部３２の下方向への重力が作用していることにより、逆回転方向Ｄ２へは、係合突起２６２が係合部３２に引っ掛かり、回動できなくなる。その後、管理者が操作ハンドル２から手を放しても、係合突起２６２と係合部３２との係合状態が維持され、また、発射許可制御部５２による遊技球の発射の許可も継続して行われて、発射装置７１から所定の強度で遊技球を発射させることができる。
【００４７】
また、打球供給皿６３１における遊技球の貯留数が所定数以下になったときには、貯留数検出手段４４が球不足状態を検出し、遊技球供給手段によって打球供給皿６３１に遊技球を供給することができる。
こうして、管理者は、回動操作部２２の回動操作量を所定量に固定した後には、遊技球の発射状態を監視している必要がなくなる。そして、遊技球の発射強度が所定の強度に維持され、遊技球の試打ちを容易に継続することができる。
【００４８】
その後、図７に示すごとく、管理者は、遊技球の試打ちを終わる際には、回動操作部２２を、その回動操作量が所定量を超えるまで正回転方向Ｄ１に回動させるだけで、係合突起２６２と係合部３２との係合状態が解除され、阻止部材３を回動阻止位置３０２から回動許可位置３０１に容易に変更することができる。これにより、遊技球の試打ちを終った後には、遊技者がパチンコ遊技することができる状態を迅速に形成することができる。
【００４９】
上記のごとく、阻止部材３の係合操作部３３は、本体枠６１の裏面側６０２に収納されており、遊技者がパチンコ遊技を行う際には回動操作することができず、一方、管理者が試打ちを行う際には、本体枠６１を開けて容易に回動操作を行うことができる。これにより、試打ちが容易であると共に、遊技者のパチンコ遊技中に、阻止部材３が誤って回動阻止位置３０２に変更されてしまうことを防止することができる。
【００５０】
また、阻止部材３は、制御装置５等の電気的手段を介すことなく、管理者が直接係合操作部３３を操作することによって位置変更可能になっている。そのため、操作ハンドル機構１の電気的制御を複雑にしてしまうことがない。
それ故、本例の操作ハンドル機構１によれば、遊技球の試打ちを行う際には、遊技者による誤操作を防止し、電気的制御を行うことなく、発射装置７１による遊技球の発射強度を所定の強度に容易に固定することができる。
【００５１】
なお、上記阻止部材３の係合操作部３３を本体枠６１の前面側６０１に配置することも考えられるが、このような構成は法規上好ましくない。この点においても、本例の操作ハンドル機構１は、係合操作部３３を本体枠６１の裏面側６０２に配置しており、管理者のみが操作することを可能とし、法規上も好ましい構成といえる。
【図面の簡単な説明】
【００５２】
【図１】実施例における、操作ハンドル機構を配設したパチンコ遊技機を示す斜視図。
【図２】実施例における、操作ハンドル機構の外観をパチンコ遊技機の前面側から見た状態で示す斜視図。
【図３】実施例における、操作ハンドル機構における回動操作部及び回動付勢手段の周辺を示す斜視説明図。
【図４】実施例における、操作ハンドル機構における第１歯車及び第２歯車の周辺を示す斜視説明図。
【図５】実施例における、阻止部材が回動許可位置にある状態の操作ハンドル機構の要部を示す斜視説明図。
【図６】実施例における、阻止部材が回動阻止位置にある状態の操作ハンドル機構の要部を示す斜視説明図。
【図７】実施例における、回動操作部を正回転方向に所定の回動操作量を超えるまで回動させて、阻止部材が回動阻止位置から回動許可位置に復帰した状態の操作ハンドル機構の要部を示す斜視説明図。
【図８】実施例における、操作ハンドル機構の内部を示す断面説明図。
【図９】実施例における、操作ハンドル機構をパチンコ遊技機の裏面側から見た状態で示す斜視図。
【図１０】実施例における、操作ハンドル機構の制御構成を示す説明図。
【符号の説明】
【００５３】
１  操作ハンドル機構
２  操作ハンドル
２１  ベース部
２２  回動操作部
２３  回動付勢手段
２６  連動部材
２６１  円板部材
２６２  係合突起
２６３  切欠き部
３  阻止部材
３０１  回動許可位置
３０２  回動阻止位置
３１  シャフト部材
３２  係合部（係合爪）
３３  係合操作部（突出つまみ）
４１  回動量検出センサ
４２  接触検出手段
４３  回動阻止検出手段
４４  貯留数検出手段
５  制御装置
５１  発射許可制御部（手段）
５２  発射強度制御部
６  パチンコ遊技機
６１  本体枠
６３  球皿ユニット
６３１  打球供給皿
７１  発射装置
７２  払出装置
７３  報知手段
Ｄ１  正回転方向
Ｄ２  逆回転方向
【図１】
2005261519.tif 000003
【図２】
2005261519.tif 000004
【図３】
2005261519.tif 000005
【図４】
2005261519.tif 000006
【図５】
2005261519.tif 000007
【図６】
2005261519.tif 000008
【図７】
2005261519.tif 000009
【図８】
2005261519.tif 000010
【図９】
2005261519.tif 000011
【図１０】
2005261519.tif 000012